(57)【要約】      （修正有）【課題】様々な形状の窓サッシや施錠装置を有する窓に用いることができ、施錠装置の施錠を確実に確認することができる施錠確認機能付き引き違い窓を提供する。【解決手段】額縁３を開閉自在な窓サッシ４が取り付けられた施錠確認機能付き窓１であって、窓サッシ４を閉塞状態に固定する施錠装置５と、額縁３に設けられた固定孔に収納され、施錠装置５を撮影可能な撮影ユニット６と、撮影ユニット６で撮影した映像データを外部の画像処理装置に送信する送信ケーブル８と、を備える。【選択図】図１
2010138567.tif 000002
【特許請求の範囲】
【請求項１】
建物の開口部を形成する額縁に開閉自在な窓サッシが取り付けられた施錠確認機能付き窓であって、
前記窓サッシを閉塞状態に固定する施錠装置と、
前記額縁に設けられた固定孔に収納され、前記施錠装置を撮影可能な撮影ユニットと、
当該撮影ユニットで撮影した映像データを外部の画像処理装置に送信する送信手段と、を備えることを特徴とする施錠確認機能付き窓。
【請求項２】
前記窓サッシは前記額縁に対して回動自在に固定される開き窓であって、
前記施錠装置は、前記窓サッシ又は前記額縁の一端に揺動自在に固定されるハンドルと、当該ハンドルの揺動に連動して前記窓サッシを前記額縁に固定する閂部と、からなり、
施錠したときに前記ハンドルの前記撮影ユニット側となる面が、他の部分と異なる色で配色されていることを特徴とする請求項１に記載の施錠確認機能付き窓。
【請求項３】
前記窓サッシは、前記額縁に対してスライド自在に２枚取付けられる引き違い窓であって、
前記施錠装置は、屋外側の窓サッシに固定されるフックと、屋内側の窓サッシに回転可能に固定されるとともに、把手が形成されたクレセントと、からなり、
当該クレセントの施錠したときに前記撮影ユニット側となる面が、他の部分と異なる色で配色されていることを特徴とする請求項１に記載の施錠確認機能付き窓。
【請求項４】
前記フックの前記撮影ユニット側の面が、前記クレセントの施錠したときに前記撮影ユニット側となる面と異なる色で配色されていることを特徴とする請求項３に記載の施錠確認機能付き引き違い窓。
【請求項５】
前記撮影ユニットは、前記施錠装置を撮影する撮影カメラと、前記施錠装置を含む所定範囲に侵入する物を検知する検知手段と、を有し、
前記検知手段が物を検知したときに、前記撮影カメラが撮影を開始することを特徴とする請求項１から請求項４のいずれか記載の施錠確認機能付き窓。
【請求項６】
前記撮影ユニットは、前記施錠装置を含む所定範囲を照らすことができる照明装置をさらに有し、
前記検知手段が物を検知したときに、前記照明装置が点灯することを特徴とする請求項５記載の施錠確認機能付き窓。
【請求項７】
前記撮影ユニットは、前記施錠装置を含む所定範囲を照らすことができる照明装置と、所定照度以上か否かを検知する照度センサと、を有し、
前記検知手段が物を検知し、且つ、前記照度センサが所定照度以下であることを検知すると、前記照明装置が点灯することを特徴とする請求項５記載の施錠確認機能付き窓。
【請求項８】
前記請求項１から請求項７のいずれかに記載の施錠確認機能付き窓の１又は複数の撮影ユニットとネットワークを介して接続される画像処理装置であって、
前記撮影手段により撮影された映像を記憶する記憶部と、
当該記憶部に記憶された映像を所定のモニタ装置に出力する出力手段とを備えることを特徴とする画像処理装置。
【発明の詳細な説明】
【技術分野】
【０００１】
この発明は、建物の開口部における施錠装置の締め忘れを防止する施錠確認機能付き窓、及びこの施錠確認機能付き窓を用いた防犯システムにおける画像処理装置に関する。
【背景技術】
【０００２】
住宅等の窓に用いられる施錠装置は、玄関扉等の鍵に比べて外出時に締め忘れることが多く、空き巣等の不法侵入を許す一因となっている。そこで、施錠装置の締め忘れを防止するために、窓の閉鎖動作に連動して補助錠が自動的に施錠される自動施錠装置が提案されている（特許文献１）。これによると、窓が閉鎖したときには自動的に施錠されるので施錠を忘れて空き巣等の不法侵入を許すことが無い。
【０００３】
また、施錠されていないことを検出する施錠センサを設けて、不在設定がなされた状態で、施錠されていないことを検出すると携帯電話等を介して施錠されていない旨通知する住宅監視システムが提案されている（特許文献２）。このように、居住者が不在になった場合に施錠されていないことが通知されることで、施錠忘れを確実に防止できる。
【特許文献１】特開２００２−２２７４９８号公報
【特許文献２】特開２００５−１１２２２号公報
【発明の開示】
【発明が解決しようとする課題】
【０００４】
しかし、窓のサッシの形状や施錠装置の種類は多様であり、上述のような自動施錠装置や施錠センサを必ずしも取り付けることができるとは限られない。また、カーテンやサッシとの取り合いが発生する虞もある。
【０００５】
そこで、本発明は、様々な形状の窓サッシや施錠装置を有する窓に用いることができ、施錠装置の施錠を確実に確認することができる施錠確認機能付き窓を提供することを目的とする。
【課題を解決するための手段】
【０００６】
請求項１に記載の施錠確認機能付き窓は、建物の開口部を形成する額縁に開閉自在な窓サッシが取り付けられた施錠確認機能付き窓であって、前記窓サッシを閉塞状態に固定する施錠装置と、前記額縁に設けられた固定孔に収納され、前記施錠装置を撮影可能な撮影ユニットと、当該撮影ユニットで撮影した映像データを外部の画像処理装置に送信する送信手段と、を備えることを特徴としている。
【０００７】
請求項２に記載の施錠確認機能付き窓は、前記窓サッシは前記額縁に対して回動自在に固定される開き窓であって、前記施錠装置は、前記窓サッシの一端に揺動自在に固定されるハンドルと、当該ハンドルの揺動に連動して前記窓サッシを前記額縁に固定する閂部と、からなり、施錠したときに前記ハンドルの前記撮影ユニット側となる面が、他の部分と異なる色で配色されていることを特徴としている。
【０００８】
請求項３に記載の施錠確認機能付き窓は、前記窓サッシは、前記額縁に対してスライド自在に２枚取付けられる引き違い窓であって、前記施錠装置は、屋外側の窓サッシに固定されるフックと、屋内側の窓サッシに回転可能に固定されるとともに、把手が形成されたクレセントと、からなり、当該クレセントの施錠したときに前記撮影ユニット側となる面が、他の部分と異なる色で配色されていることを特徴としている。
【０００９】
請求項４に記載の施錠確認機能付き窓は、前記フックの前記撮影ユニット側の面が、前記クレセントの施錠したときに前記撮影ユニット側となる面と異なる色で配色されていることを特徴としている。
【００１０】
請求項５に記載の施錠確認機能付き窓は、前記撮影ユニットは、前記施錠装置を撮影する撮影カメラと、前記施錠装置を含む所定範囲に侵入する物を検知する検知手段と、を有し、前記検知手段が物を検知したときに、前記撮影カメラが撮影を開始することを特徴としている。
【００１１】
請求項６に記載の施錠確認機能付き窓は、前記撮影ユニットは、前記施錠装置を含む所定範囲を照らすことができる照明装置をさらに有し、前記検知手段が物を検知したときに、前記照明装置が点灯することを特徴としている。
【００１２】
請求項７に記載の施錠確認機能付き窓は、前記撮影ユニットは、前記施錠装置を含む所定範囲を照らすことができる照明装置と、所定照度以上か否かを検知する照度センサと、を有し、前記検知手段が物を検知し、且つ、前記照度センサが所定照度以下であることを検知すると、前記照明装置が点灯することを特徴としている。
【００１３】
請求項８に記載の画像処理装置は、前記請求項１から請求項７のいずれかに記載の施錠確認機能付き窓の１又は複数の撮影ユニットとネットワークを介して接続される画像処理装置であって、前記撮影手段により撮影された映像を記憶する記憶部と、当該記憶部に記憶された映像を所定のモニタ装置に出力する出力手段とを備えることを特徴としている。
【発明の効果】
【００１４】
請求項１に記載の施錠確認機能付き窓によると、撮影ユニットが施錠装置を撮影可能に設けられており、この撮影ユニットで撮影した映像データが送信手段により画像処理装置に送信されるので、例えばこの画像処理装置をネットワークに接続させることで、外出先等からネットワークを介して施錠装置が施錠されているか否か確認することができる。
【００１５】
撮影ユニットは、額縁に設けられた固定孔に収納されているので、例えばカーテンや窓サッシと取り合いになることもなく、どのような形状の窓サッシや施錠装置を有する窓であっても、施錠装置が確実に施錠されているか確認することができる。しかも、額縁は通常木製であるため施工現場での加工が容易であり、通常の窓に撮影ユニットを取り付けることで、極めて簡単に施錠確認機能付き窓にすることができる。
【００１６】
請求項２に記載の施錠確認機能付き窓によると、施錠装置は開き窓のハンドルに連動して施錠開錠を行うことができ、施錠したときに当該ハンドルの撮影ユニット側となる面が、他の部分と異なる色で配色されているので、このハンドルの異なる色を撮影することになり、この映像を確認することで、より容易に施錠装置が施錠されているか否かを確認することができる。
【００１７】
請求項３に記載の施錠確認機能付き窓によると、クレセントの施錠したときに撮影ユニット側となる面が、他の部分と異なる色で配色されている。すなわち、撮影ユニットが撮影する映像は、施錠装置を施錠していないときと施錠しているときとで、クレセントの異なる色を撮影することになり、この映像を確認することで、より容易に施錠装置が施錠されているか否かを確認することができる。
【００１８】
なお、ここで「異なる色で配色されている」とは、表面に異なる色の着色料が塗布されている、異なる色の着色テープが貼着されている、又は、異なる色の部材が取り付けられている等を含むものであり、ハンドル又はクレセントを施錠方向に回転させた場合に撮影ユニット側となる面が異なる色に見えるものであればよい。また、この「配色」は、周囲の色の補色となるような周囲と区別が付きやすい色であることが好ましく、反射材や蓄光材を用いるなど周囲から目立つ態様であることがより好ましい。
【００１９】
請求項４に記載の施錠確認機能付き窓によると、フックの撮影ユニット側の面が、クレセントの施錠したときに撮影ユニット側となる面と異なる色で配色されているので、クレセントとフックとをより確実に区別することができ、クレセントを回転させたときにフックにかみ合わずに施錠されていない所謂空締め状態となっていないかを確実に確認することができる。
【００２０】
請求項５に記載の施錠確認機能付き窓によると、検知手段が施錠装置を含む所定範囲に侵入するものを検知した場合に撮影カメラが撮影を開始するので、施錠装置を開錠又は施錠した場合には施錠装置を操作する者を検知して撮影を開始する。したがって、施錠装置が開錠又は施錠される短い時間だけ撮影し、映像データを外部の情報処理装置に出力することができるので、情報処理装置の処理量を減らすことができる。そして、施錠装置が開錠又は施錠される間は撮影されるので、例えば外部から侵入者が窓ガラスを割って施錠装置を開錠する場合にも開錠される瞬間を撮影することとなり侵入者を撮影することもできる。また、施錠装置が開錠又は施錠される間は撮影されているので、施錠装置が施錠されているか否かを確実に確認することができる。
【００２１】
請求項６に記載の施錠確認機能付き窓によると、検知物を検知したときに照明装置が施錠装置を含む所定範囲を照らすので、夜間等で照度が低い場合でも撮影カメラは施錠装置をはっきり撮影することができる。
【００２２】
請求項７に記載の施錠確認機能付き窓によると、周辺の照度が低い場合にのみ照明装置が点灯するので、十分な照度が保たれている昼間等に不必要に点灯することを抑制できる。
【００２３】
請求項８に記載の画像処理装置によると、画像処理装置は、請求項１から請求項７の施錠確認機能付き窓からネットワークを介して送られてきた映像データを、記憶し、所定のモニタ装置に出力することができる。
【発明を実施するための最良の形態】
【００２４】
以下、この発明における施錠確認機能付き窓１及び画像処理装置２について、各図を参照しつつ説明する。本実施形態の施錠確認機能付き窓１は、例えば住宅の引き違い式の窓において、施錠したか否かを簡単に確認することができるものである。なお、この実施形態においては、引き違い式の窓を例に説明しているが、本発明の実施形態はこれに限定されるものではなく、片開き式の窓や両開き式の窓などの住宅の様々な種類の開口に用いることができるものである。図１に示すように、住宅等の建物の開口部を形成する矩形の額縁３にスライド自在な２枚の窓サッシ４が取り付けられた施錠確認機能付き窓１であって、２枚の窓サッシ４を窓を閉塞した状態で固定する施錠装置５と、額縁３に設けられた固定孔に収納され、施錠装置５を撮影可能な撮影ユニット６と、この撮影ユニット６で撮影した映像データを外部の画像処理装置２に送信する送信ケーブル８と、を備える。
【００２５】
額縁３は、上枠体３１、下枠体３２、及び左右の側枠体３３からなる。この上枠体３１及び下枠体３２には図示しないが屋内側と屋外側とに平行に２本レールが形成されており、屋内側のレールと屋外側のレールとにそれぞれ窓サッシ４がスライド可能に嵌め込まれている。窓サッシ４は、内側に窓ガラス９をはめ込んで形成された矩形枠であり、屋内側のレールにスライド可能には嵌め込まれる屋内側窓サッシ４ａと、屋外側のレールにスライド可能に嵌め込まれる屋外側窓サッシ４ｂと、が設けられており、屋内側窓サッシ４ａと屋外側窓サッシ４ｂとを互いに反対方向にスライドさせることにより、施錠確認機能付き窓１を閉塞させることができる。そして、図２に示すように、この施錠確認機能付き窓１を閉塞させた状態で施錠装置５の把手５１を回転させることで施錠する。
【００２６】
撮影ユニット６は、額縁３の上枠体３１の中央近傍の屋内側に設けられた固定孔３４に収納されるように形成されており、図３に示すように上枠体３１の下方が開口して設けられた固定孔３４に挿入され、螺子１０により固定されている。撮影ユニット６の上面にはケーブル８が接続されており、このケーブル８は上枠体３１を貫通して、画像処理装置２に接続されている。固定孔３４は、撮影ユニット６を収納した後に、その開口部に中心が大きく開いた化粧プレート１２が固定される。この撮影ユニット６には、図４に示すように、下方を向いて撮影カメラ６１、照明装置６２、及び侵入感知センサ６３が設けられている。撮影カメラ６１は、例えばＣＭＯＳイメージセンサやＣＣＤイメージセンサを用いたデジタルカメラが用いられるが、そのほかの種々の撮像方式のカメラを用いることができる。また、照明装置６２の光源としては、例えばＬＥＤ、白熱電球等を用いることができるがこれに限定されるものではなく、発光する様々な光源を用いることができる。この照明装置には、光源のほかに図示しないが周辺の照度を検知する照度センサを備えており、所定照度以上か否かを判別することができる。また、侵入感知センサ６３としては、パッシブ型赤外線センサ等を用いることができるが、所定範囲内への侵入を感知できるものであれば、他の種々のセンサを用いることもできる。
【００２７】
施錠装置５は、図５に示すように、屋外側の窓サッシに固定されるフック５２と、屋内側窓サッシ４ａに回動自在に固定されるとともに、開錠及び施錠操作するための把手５１が設けられた半円状の盤の外周縁に突片５４を設けたクレセント５３と、から形成されている。把手５１を操作してクレセント５３を回転させることで、フック５２に突片５４をかみ合わせることで施錠する。そして、クレセント５３の施錠装置５を施錠したときに撮影ユニット６となる面、すなわち、把手５１の先端面５１ａには所定の色（例えば赤）の着色テープが貼付されている。また、フック５２の撮影ユニット６側の面、すなわちフック５２の上面５２ａには、把手５１の先端面５１ａとは異なる色（例えば青）の着色テープが貼付されている。
【００２８】
このように構成することで、施錠装置５が開錠しているときには、図６（Ａ）に示すように、施錠装置５の把手５１は下方を向いているので、撮影ユニット６が撮影した映像には把手５１の先端５１ａは映らない。そしてこのとき、フック５２の上面５２ａは撮影ユニット６を向いているので映る。一方、施錠装置５を施錠しているときには、図６（Ｂ）に示すように、施錠装置５の把手５１は上方を向いているので、撮影ユニット６が撮影した映像に把手５１の先端５１ａが映る。そして、フック５２にはクレセント５３の突片５４がかみ合わされているので、フック５２の先端部分は突片５４が目隠しになって撮影ユニット６が撮影した映像には映らない。したがって、撮影ユニット６が撮影した映像に把手５１の先端５１ａの色が映っていない場合には、施錠装置５は開錠されていることがわかり、撮影ユニット６が撮影した映像に把手５１の先端５１ａの色が映っており、且つ、フック５２の先端５２ａが映っていないときには、施錠装置５が施錠されていることがわかる。なお、撮影ユニット６が撮影した映像に把手５１の先端５１ａの色が映っており、且つ、フック５２の先端５２ａも映っている場合には、フック５２とクレセント５３の突片５４がうまくかみ合わされていない所謂空締め状態となっていることがわかる。したがって、撮影ユニット６が撮影した映像を確認することで、簡単且つ確実に施錠装置５の施錠を確認することができる。
【００２９】
撮影ユニット６は、建物に設けられている複数の窓にそれぞれ設けられており、ケーブル８を介して画像処理装置２に接続されている。画像処理装置２は、図７に示すように、自装置２の各部の動作を制御する制御部２１、撮影ユニット６から送られてくる映像データに対して所定の処理を行う画像処理部２２、画像処理部２２で処理を行う映像データを一時記憶するメモリ２３、画像処理部２２で所定の処理を行った映像データを録画する記憶部２４、及び外部から情報を入出力するインターフェース２５を備えている。
【００３０】
建物の居住者等が施錠装置５の施錠を確認する際には、画像処理装置２のインターフェース２５に各撮影ユニット６が撮影した映像データの表示要求を入力する。画像処理装置２の制御部２１は、映像データの表示要求を受付けると、各撮影ユニット６に対して撮影を開始すべき旨のコマンドを送信し、各撮影ユニット６から送信された映像データに対して画像処理部２２で所定の画像処理を施した後、モニター１３に送信して表示させる。
【００３１】
また、建物の居住者等が出先で施錠装置５の施錠を確認したい場合には、例えば図示しない携帯電話機やインターネットに接続された外部装置から、ネットワーク１４を介して画像処理装置２に各撮影ユニット６が撮影した映像データの表示要求を送信する。そして画像処理装置２は、各撮影ユニット６から送信された映像データに対して画像処理部２２で所定の画像処理を施した後、ネットワーク１４を介して、携帯電話機や外部装置に送信する。
【００３２】
なお、侵入感知センサ６３が施錠装置５の周囲の所定範囲に物が侵入したことを検知した場合に撮影ユニット６が施錠装置５を撮影し、当該撮影の映像データを画像処理装置２の記憶部２４に記憶させ、外部から映像データの表示要求があった場合には、この記憶部２４が記憶した施錠装置５の映像データのうち最新のものをモニター１３に表示し、又は外部装置に送信するように設定することもできる。このようにしても、施錠装置５が開錠又は施錠させる間は撮影されているので、モニター１３に表示された映像又は外部装置が受信した映像を確認することで、施錠装置５が施錠されているか否かを確実に確認することができる。
【００３３】
なお、本実施形態においては、施錠確認機能付き窓１の一例として、窓サッシ４がスライド可能に嵌め込まれてた引き違い窓を例に説明しているが、施錠確認機能付き窓１は引き違い窓に限定されるものではなく、片開き窓、両開き窓などの様々な形態のものを用いることができる。また、本実施形態において、施錠装置５としてクレセント錠を用いて説明しているがこれに限定されるものではなく、別の実施形態として図８及び図９に例示するように、所謂スイングロック式の施錠装置５であってもよい。
【００３４】
別の実施形態の施錠確認機能付き窓１は、図８に示すように、額縁３の一方の側枠体３３に図示しない蝶番等で回動可能に窓サッシ４の一方の側端が固定された片開き式の窓であって、窓サッシ４の他方の側端に相対する額縁３の側枠体３３には、スイングロック式の施錠装置５が固定されている。そして、額縁３の下枠体３２には、ハンドルを回転させることで、窓を開閉することができるオペレータ１８が固定されており、窓サッシ４の下側と額縁３の下枠体３２とにはアオリ止め１７がスライド自在に架設されている。
【００３５】
施錠装置５は、図９に示すように、側枠体３３に揺動自在に固定されるハンドル１５とこのハンドル１５の揺動動作に連動して、側枠体３３から出し入れ自在な閂部１６とから構成されている。すなわち、窓を開放するときには、図９（Ａ）に示すように、ハンドル１５を水平となるように揺動させ、閂部１６を側枠体３３内に収納する。そして、窓を閉塞して施錠するときには、図９（Ｂ）に示すように、ハンドル１５を鉛直になるように揺動させ、閂部１６を側枠体３３から突出させる。窓サッシ４には図示しないが、この閂部１６が収まる受け孔が設けられており、突出した閂部１６がこの受け孔に引っ掛かって施錠される。
【００３６】
撮影ユニット６は、額縁３の上枠体３１の施錠装置５の上側に収納されており、撮影カメラ６１がこの施錠装置５を撮影可能に構成されている。ハンドル１５は、上端が他の部分とは異なる配色が施されており、施錠装置５を施錠したときには、撮影カメラ６１はハンドル１５の上面の異なる配色が撮影される。一方、施錠していないときには、ハンドル１５は水平方向を向いているので、撮影カメラ６１は異なる配色の部分を撮影することは無い。したがって、施錠している場合と施錠していない場合とで撮影カメラ６１に撮影される色が異なるので、この撮影カメラ６１により撮影された映像を確認することで、施錠されているかいないかを確認することができる。
【００３７】
なお、本発明の実施の形態は上述の形態に限ることなく、本発明の思想の範囲を逸脱しない範囲で適宜変更することができることは云うまでもない。本実施形態においては、撮影ユニット６は額縁３の上枠体３１に形成された固定孔３４に収納される構成であるがこれに限定されず、下枠体３２、又は左右いずれかの側枠体３３に形成された固定孔３４に収納されるものであってもよい。
【００３８】
また、本実施形態においては、撮影ユニット６はケーブル８を介して画像処理装置に接続するものであるが、送受信アンテナを設けたワイヤレス接続する構成であってもよい。
【００３９】
本実施形態においては撮影ユニット６が撮影した施錠装置５の映像をモニター１３等に表示して施錠装置５が施錠されているか否かを目視で確認するものであるが、例えば、予め施錠装置５が施錠されている場合の映像を画像処理装置２の記憶部２４に記憶しておき、新たに撮影ユニット６が撮影した施錠装置５の映像を画像処理装置２の制御部２１がパターンマッチングすることで、施錠装置５が施錠されているか否か判断し、施錠されているか否かの結果をモニター１３等に表示するものとしてもよい。
【産業上の利用可能性】
【００４０】
本発明に係る施錠確認機能付き窓１及び画像処理装置２は、施錠装置５の締め忘れを防止する引き違い窓として、住宅等に好適に用いることができる。
【図面の簡単な説明】
【００４１】
【図１】施錠確認機能付き引き違い窓の外観構成を説明する斜視図。
【図２】施錠装置を施錠した状態の施工確認機能付き引き違い窓を示す図。
【図３】撮影ユニットの構成を説明する図。
【図４】撮影ユニットを下側から見た状態を説明する図。
【図５】本実施形態の施錠装置を説明する図。
【図６】本実施形態の施錠装置の施錠状態と開錠状態とを説明する図。
【図７】本実施形態の画像処理装置及びその周辺構成を説明するブロック図。
【図８】別の実施形態の施錠確認機能付き引き違い窓の外観構成を説明する図。
【図９】別の実施形態の施錠確認機能付き引き違い窓の施錠装置を説明する図。
【符号の説明】
【００４２】
１    施錠確認機能付き窓
２    画像処理装置
３    額縁
４    窓サッシ
５    施錠装置（施錠装置）
６    撮影ユニット
８    送信ケーブル（送信手段）
１３  モニタ（モニタ装置）
１４  ネットワーク
１５  ハンドル
１６  閂部
２４  記憶部
２５  インターフェース（出力手段）
３４  固定孔
５１  把手
５１ａ先端面
５２  フック
５２ａ上面
５３  クレセント
６１  撮影カメラ
６２  照明装置
６３  侵入感知センサ（検知手段）
【図１】
2010138567.tif 000003
【図２】
2010138567.tif 000004
【図３】
2010138567.tif 000005
【図４】
2010138567.tif 000006
【図５】
2010138567.tif 000007
【図６】
2010138567.tif 000008
【図７】
2010138567.tif 000009
【図８】
2010138567.tif 000010
【図９】
2010138567.tif 000011